(57)【要約】【課題】  消費電力の増加を抑制して流量を増大し得る電磁切換弁を提供する。【解決手段】  電磁石５Ａは弁本体１に隣接する第１電磁石部６Ａの軸方向外方へ第２電磁石部７Ａを連設して構成する。電磁切換弁は、弁体２により複数の流路間を切換連通する切換状態と、切換状態を保持する保持状態とを有する。第１電磁石部６Ａと第２電磁石部７Ａとは、切換状態では両方の電磁石部６Ａ、７Ａを通電すると共に、保持状態では第１電磁石部６Ａを通電する。よって、保持状態では、一つの電磁石部６Ａの通電で消費電力の増加を抑制することができ、切換状態では、両方の電磁石部６Ａ、７Ａの通電で大きな吸引力を得ることができる。【選択図】    図１
2018066418.tif 000002
【特許請求の範囲】
【請求項１】
弁本体内に弁体を軸方向へ摺動自在に嵌挿し、弁本体の側部に通電により弁体を作動する電磁石を備え、弁体の作動で流体が流通する複数の流路間を切換連通する電磁切換弁において、電磁石は弁本体に隣接する第１電磁石部の軸方向外方へ第２電磁石部を連設して構成し、第１電磁石部は通電により発生する吸引力で第１可動鉄心を吸引する第１固定鉄心を弁本体の側面に固定し、第１可動鉄心を第１固定鉄心と対向して軸方向へ摺動自在に筒状部材へ嵌装し、第１可動鉄心と弁体との間を第１固定鉄心を貫通する第１ピン部材を介して係合し、第２電磁石部は通電により発生する吸引力で第２可動鉄心を吸引する第２固定鉄心を第１可動鉄心の軸方向外方で筒状部材に固定し、第２可動鉄心を第２固定鉄心と対向して軸方向へ摺動自在に筒状部材へ嵌装し、第２可動鉄心と第１可動鉄心との間を第２固定鉄心を貫通する第２ピン部材を介して係合し、第１電磁石部と第２電磁石部とは大きな吸引力で弁体により複数の流路間を切換連通する切換状態と、切換状態より小さな吸引力で切換状態を保持する保持状態とを有したことを特徴とする電磁切換弁。
【請求項２】
前記第１電磁石部と前記第２電磁石部とは、前記切換状態では両方の電磁石部を通電すると共に、前記保持状態ではいずれか一つの電磁石部を通電したことを特徴とする請求項１に記載の電磁切換弁。
【請求項３】
前記第１電磁石部と前記第２電磁石部とは、前記切換状態では大きな吸引力のいずれか一方の電磁石部を通電すると共に、前記保持状態では前記切換状態で通電したいずれか一方の電磁石部を非通電として前記切換状態より小さな吸引力のいずれか他方の電磁石部を通電したことを特徴とする請求項１に記載の電磁切換弁。
【請求項４】
前記第１電磁石部と前記第２電磁石部とは、前記第１可動鉄心を前記第１固定鉄心に吸引するストローク量と前記第２可動鉄心を前記第２固定鉄心に吸引するストローク量とを略同一にしたことを特徴とする請求項１から３のいずれか一つに記載の電磁切換弁。
【請求項５】
前記保持状態で前記第１電磁石部を通電したことを特徴とする請求項１から４のいずれか一つに記載の電磁切換弁。
【発明の詳細な説明】
【技術分野】
【０００１】
本発明は、電磁石により弁体を作動して複数の流路間を切換連通する電磁切換弁に関する。
【背景技術】
【０００２】
従来の電磁切換弁は、弁本体内にスプール状の弁体を軸方向へ摺動自在に嵌挿し、弁本体の両側部に設けた電磁石の一方に通電して固定鉄心に吸引される可動鉄心で弁体を一方の切換位置に向けて押圧したり、他方の電磁石に通電して固定鉄心に吸引される可動鉄心で弁体を他方の切換位置に向けて押圧したりして、複数の流路間を切換連通している（たとえば、特許文献１参照）。
【先行技術文献】
【特許文献】
【０００３】
【特許文献１】特開２０１５−６８４５９号公報（図１）
【発明の概要】
【発明が解決しようとする課題】
【０００４】
ところが、特許文献１に開示された電磁切換弁では、流量を増大させるために、弁体のストロークを長くして弁体と流路との間の開口量を大きくすると、弁体に流路との間の開口を閉じる方向へ作用する流体力が大きくなり、この流体力に打勝つ大きな吸引力を発生する電磁石が必要となり、消費電力が増加してしまう。
【０００５】
本発明の課題は、消費電力の増加を抑制して流量を増大し得る電磁切換弁を提供するものである。
【課題を解決するための手段】
【０００６】
かかる課題を達成すべく、本発明は次の手段をとった。即ち、
弁本体内に弁体を軸方向へ摺動自在に嵌挿し、弁本体の側部に通電により弁体を作動する電磁石を備え、弁体の作動で流体が流通する複数の流路間を切換連通する電磁切換弁において、電磁石は弁本体に隣接する第１電磁石部の軸方向外方へ第２電磁石部を連設して構成し、第１電磁石部は通電により発生する吸引力で第１可動鉄心を吸引する第１固定鉄心を弁本体の側面に固定し、第１可動鉄心を第１固定鉄心と対向して軸方向へ摺動自在に筒状部材へ嵌装し、第１可動鉄心と弁体との間を第１固定鉄心を貫通する第１ピン部材を介して係合し、第２電磁石部は通電により発生する吸引力で第２可動鉄心を吸引する第２固定鉄心を第１可動鉄心の軸方向外方で筒状部材に固定し、第２可動鉄心を第２固定鉄心と対向して軸方向へ摺動自在に筒状部材へ嵌装し、第２可動鉄心と第１可動鉄心との間を第２固定鉄心を貫通する第２ピン部材を介して係合し、第１電磁石部と第２電磁石部とは大きな吸引力で弁体により複数の流路間を切換連通する切換状態と、切換状態より小さな吸引力で切換状態を保持する保持状態とを有したことを特徴とする電磁切換弁がそれである。
【０００７】
この場合、前記第１電磁石部と前記第２電磁石部とは、前記切換状態では両方の電磁石部を通電すると共に、前記保持状態ではいずれか一つの電磁石部を通電してもよい。また、前記第１電磁石部と前記第２電磁石部とは、前記切換状態ではいずれか一方の電磁石部を通電すると共に、前記保持状態では前記切換状態で通電したいずれか一方の電磁石部を非通電としていずれか他方の電磁石部を通電してもよい。また、前記第１電磁石部と前記第２電磁石部とは、前記第１可動鉄心を前記第１固定鉄心に吸引するストローク量と前記第２可動鉄心を前記第２固定鉄心に吸引するストローク量とを略同一にしてもよい。また、前記保持状態で前記第１電磁石部を通電してもよい。
【発明の効果】
【０００８】
以上詳述したように、請求項１に記載の発明は、電磁石は弁本体に隣接する第１電磁石部の軸方向外方へ第２電磁石部を連設して構成し、第１電磁石部は通電により発生する吸引力で第１可動鉄心を吸引する第１固定鉄心を弁本体の側面に固定し、第１可動鉄心を第１固定鉄心と対向して軸方向へ摺動自在に筒状部材へ嵌装し、第１可動鉄心と弁体との間を第１固定鉄心を貫通する第１ピン部材を介して係合し、第２電磁石部は通電により発生する吸引力で第２可動鉄心を吸引する第２固定鉄心を第１可動鉄心の軸方向外方で筒状部材に固定し、第２可動鉄心を第２固定鉄心と対向して軸方向へ摺動自在に筒状部材へ嵌装し、第２可動鉄心と第１可動鉄心との間を第２固定鉄心を貫通する第２ピン部材を介して係合し、第１電磁石部と第２電磁石部とは大きな吸引力で弁体により複数の流路間を切換連通する切換状態と、切換状態より小さな吸引力で切換状態を保持する保持状態とを有した。このため、保持状態では、切換状態より小さな吸引力で通電しているから、消費電力の増加を抑制することができる。そして、切換状態では、大きな吸引力で通電しているから、大きな流体力に打勝って弁体と流路との間の開口量を大きくでき、流量を増大することができる。
【０００９】
また、請求項２に記載の発明は、第１電磁石部と第２電磁石部とは、切換状態では両方の電磁石部を通電すると共に、保持状態ではいずれか一つの電磁石部を通電した。このため、保持状態では、いずれか一つの電磁石部を通電しているから、消費電力の増加を抑制することができる。そして、切換状態では、両方の電磁石部を通電しているから、大きな吸引力を得ることができ、大きな流体力に打勝って弁体と流路との間の開口量を大きくでき、流量を増大することができる。
【００１０】
また、請求項３に記載の発明は、第１電磁石部と第２電磁石部とは、切換状態では大きな吸引力のいずれか一方の電磁石部を通電すると共に、保持状態では切換状態で通電したいずれか一方の電磁石部を非通電として切換状態より小さな吸引力のいずれか他方の電磁石部を通電した。このため、保持状態では、切換状態より小さな吸引力の電磁石部を通電しているから、消費電力の増加を抑制することができる。そして、切換状態では、大きな吸引力の電磁石部を通電しているから、大きな流体力に打勝って弁体と流路との間の開口量を大きくでき、流量を増大することができる。
【００１１】
また、請求項４に記載の発明は、第１電磁石部と第２電磁石部とは、第１可動鉄心を第１固定鉄心に吸引するストローク量と第２可動鉄心を第２固定鉄心に吸引するストローク量とを略同一にした。このため、ストロークの全域にわたり大きな吸引力を得ることができる。
【００１２】
また、請求項５に記載の発明は、保持状態で第１電磁石部を通電した。このため、第２電磁石部は保持状態で非通電となるから、第２可動鉄心が第２ピン部材を介する第１可動鉄心との係合を解除しても問題がなく、用途に応じて適宜ストローク量を短くすることができる。
【図面の簡単な説明】
【００１３】
【図１】本発明の一実施形態を示した電磁切換弁の縦断面図である。
【図２】一実施形態の電気回路図である。
【図３】一実施形態の吸引力、流体力、ばね力、消費電力と両電磁石部の通電、非通電の関係を示したグラフ図である。
【図４】他実施形態の吸引力、流体力、ばね力、消費電力と両電磁石部の通電、非通電の関係を示したグラフ図である。
【発明を実施するための形態】
【００１４】
以下、本発明の一実施形態を図面に基づき説明する。
図１および図２において、１は弁本体で、略直方体形状を成し、スプール状の弁体２を軸方向へ摺動自在に嵌挿する嵌挿孔３を内部に貫通形成し、弁本体１の両側面に開口する嵌挿孔３の両端部にはそれぞれ雌ねじ部を螺刻している。嵌挿孔３の軸方向の略中央部には圧力流体を供給する供給流路Ｐを開口し、また、供給流路Ｐの接続個所の軸方向両側へ間隙を有して流体アクチュエータ（図示せず）に接続する２個の負荷流路Ａ、Ｂをそれぞれ開口し、さらに両負荷流路Ａ、Ｂの軸方向外側へ間隙を有して低圧側に接続する排出流路Ｒ１、Ｒ２をそれぞれ開口している。弁体２はランド部２Ａ、２Ｂを備え、嵌挿孔３の両端部に収装したばね４Ａ、４Ｂで中立位置に保持し、中立位置では供給流路Ｐを遮断すると共に負荷流路Ａを排出流路Ｒ１に負荷流路Ｂを排出流路Ｒ２にそれぞれ連通する。また、弁体２は、ばね４Ａのばね力に抗する図１の上半分に示す一方の切換位置では、供給流路Ｐを負荷流路Ａに切換連通すると共に負荷流路Ｂを排出流路Ｒ２に切換連通する。また、弁体２は、ばね４Ｂのばね力に抗する図１の下半分に示す他方の切換位置では、供給流路Ｐを負荷流路Ｂに切換連通すると共に負荷流路Ａを排出流路Ｒ１に切換連通する。
【００１５】
５Ａ、５Ｂは弁本体１の両側部に備えた電磁石で、第１電磁石部６Ａ、６Ｂと第２電磁石部７Ａ、７Ｂとから構成している。
以下、電磁石５Ａ、５Ｂは同一構成であるため、電磁石５Ａで代表して説明し、電磁石５Ｂは符号を付して説明を省略する。
電磁石５Ａは第１電磁石部６Ａを弁本体１に隣接し、第１電磁石部６Ａの軸方向外方へ第２電磁石部７Ａを連設している。第１電磁石部６Ａは第１固定鉄心８Ａを嵌挿孔３の雌ねじ部に螺合して弁本体１の側面に固定し、通電により発生する吸引力で第１固定鉄心８Ａに吸引する第１可動鉄心９Ａを第１固定鉄心８Ａと対向して軸方向へ摺動自在に筒状部材１０Ａへ嵌装している。筒状部材１０Ａは第１固定鉄心８Ａに溶接で固着している。１１Ａは第１ピン部材で、第１固定鉄心８Ａを貫通して弁体２と第１可動鉄心９Ａとを係合し、第１固定鉄心８Ａに吸引される第１可動鉄心９Ａで弁体２を押圧する。また、第１電磁石部６Ａはコイルボビン１２Ａ、円筒状のヨーク１３Ａ、円板状のヨーク１４Ａを有している。コイルボビン１２Ａは、第１固定鉄心８Ａと第１可動鉄心９Ａの径方向外方で筒状部材１０Ａに外嵌し、軸方向両端の鍔部の間にコイル１５Ａを巻回している。コイルボビン１２Ａは、弁本体１側の鍔部を径方向外方へ延在し、この延在部には３個の接続ピン１６Ａ、１７Ａ、１８Ａ（接続ピン１７Ａ、１８Ａは図２に示す）を弁本体１側に向けて軸方向へ突出している。２個の接続ピン１６Ａ、１７Ａはコイル１５Ａに電気接続し、接続ピン１７Ａは共通のマイナスコモン端子としている。ヨーク１３Ａはコイルボビン１２Ａの外周を覆い、弁本体１側の一部を切欠いてコイルボビン１２Ａの延在部を径方向外方へ延在可能としている。ヨーク１４Ａはコイルボビン１２Ａ、ヨーク１３Ａの軸方向外方に隣接して筒状部材１０Ａに外嵌している。
【００１６】
第２電磁石部７Ａは第１電磁石部６Ａと略同一構成で、第２固定鉄心１９Ａを第１可動鉄心９Ａの軸方向外方で筒状部材１０Ａに固着し、通電により発生する吸引力で第２固定鉄心１９Ａに吸引する第２可動鉄心２０Ａを第２固定鉄心１９Ａと対向して軸方向へ摺動自在に筒状部材１０Ａへ嵌装している。２１Ａは第２ピン部材で、第２固定鉄心１９Ａを貫通して第１可動鉄心９Ａと第２可動鉄心２０Ａとを係合し、第２固定鉄心１９Ａに吸引される第２可動鉄心２０Ａで第１可動鉄心９Ａ、第１ピン部材１１Ａを介して弁体２を押圧する。そして、第２可動鉄心２０Ａを第２固定鉄心１９Ａに吸引するストローク量は、第１可動鉄心９Ａを第１固定鉄心８Ａに吸引するストローク量と略同一に設けている。
【００１７】
第２電磁石部７Ａはコイルボビン２２Ａ、円筒状のヨーク２３Ａ、円板状のヨーク２４Ａを有している。コイルボビン２２Ａは、第２固定鉄心１９Ａと第２可動鉄心２０Ａの径方向外方で筒状部材１０Ａに外嵌し、軸方向両端の鍔部の間にコイル２５Ａを巻回している。コイルボビン２２Ａは、弁本体１側の鍔部を径方向外方へ延在し、この延在部にはコイル２５Ａに電気接続する２個の接続ピン２６Ａ、２７Ａ（接続ピン２７Ａは図２に示す）を外方に向けて軸方向へ突出している。接続ピン２６Ａは、第１電磁石部６Ａのコイル１５Ａに電気接続していない接続ピン１８Ａにリード線２８Ａで電気接続する。接続ピン２７Ａは、共通のマイナスコモンとして第１電磁石部６Ａのコイル１５Ａに電気接続した接続ピン１７Ａにリード線２９Ａ（図２に示す）で電気接続する。ヨーク２３Ａはコイルボビン２２Ａの外周を覆い、弁本体１側の一部を切欠いてコイルボビン２２Ａの延在部を径方向外方へ延在可能としている。ヨーク２４Ａはコイルボビン２２Ａ、ヨーク２３Ａの軸方向外方に隣接して筒状部材１０Ａに外嵌している。
【００１８】
筒状部材１０Ａは、軸方向外方の端部に蓋部材３０Ａを固着して開口を閉塞している。蓋部材３０Ａには外部から手動で押圧する押圧ピン部材３１Ａを設けている。押圧ピン部材３１Ａは第２可動鉄心２０Ａ、第２ピン部材２１Ａ、第１可動鉄心９Ａ、第１ピン部材１１Ａを介して弁体２を押圧可能に設けている。第１電磁石部６Ａと第２電磁石部７Ａはコイルボビン１２Ａ、２２Ａ、円筒状のヨーク１３Ａ、２３Ａ、円板状のヨーク１４Ａ、２４Ａ、コイル１５Ａ、２５Ａ、接続ピン１６Ａ、１７Ａ、１８Ａ、２６Ａ、２７Ａ、リード線２８Ａ、２９Ａを樹脂モールドで一体成形しコイルブロック３２Ａを形成している。コイルブロック３２Ａは筒状部材１０Ａに外嵌し、蓋部材３０Ａに螺合したナット３３Ａで弁本体１との間に挟持されている。
【００１９】
３４は端子箱で、弁本体１上に載置固定し、弁本体１の両側部に備えた電磁石５Ａ、５Ｂを図示しない外部電源に電気接続する。端子箱３４は一側部に電磁石５Ａの接続ピン１６Ａ、１７Ａ、１８Ａを挿入する挿入部３５Ａを有すると共に、一側部と対向する他側部に電磁石５Ｂの接続ピン１６Ｂ、１７Ｂ、１８Ｂを挿入する挿入部３５Ｂを有する。端子箱３４は挿入部３５Ａと内部配線３６Ａ、３７Ａ、３８Ａで電気接続するコネクタ３９Ａを挿入部３５Ａの上方で一側部に備える。また、端子箱３４は挿入部３５Ｂと内部配線３６Ｂ、３７Ｂ、３８Ｂで電気接続するコネクタ３９Ｂを挿入部３５Ｂの上方で他側部に備える。コネクタ３９Ａ、３９Ｂは図示しない外部電源からの電気配線を着脱自在に装着する。
【００２０】
図３に、吸引力Ｋ、Ｋ１、流体力Ｆ、ばね力Ｓ、Ｓ１、消費電力Ｗ、Ｗ１と第１電磁石部６Ａ、第２電磁石部７Ａの通電、非通電の関係を示す。
第１電磁石部６Ａ、第２電磁石部７Ａを同時に通電すると吸引力Ｋが発生する。吸引力Ｋは流体力Ｆとばね４Ｂのばね力Ｓとを加算した力より大きく、弁体２を図１の下半分に示す他方の切換位置に向けて押圧し切換状態となる。切換状態では、消費電力Ｗが生じる。
【００２１】
そして、両電磁石部６Ａ、７Ａの両可動鉄心９Ａ、２０Ａが両固定鉄心８Ａ、１９Ａに当接する図３の吸着点Ｅで、第２電磁石部７Ａを非通電にして第１電磁石部６Ａを通電し続けると、切換状態を保持する保持状態となる。保持状態では、吸引力Ｋ１は、第１電磁石部６Ａのみによるもので切換状態の約半分と小さくなり、略一定となる。ばね４Ｂのばね力Ｓ１は最大値となり略一定となる。吸引力Ｋ１はばね力Ｓ１より大きく保持状態を継続する。流体力Ｆは弁体２が流路間の切換を完了しているので発生せずゼロになる。保持状態では、第２電磁石部７Ａを非通電にするため、消費電力Ｗ１は切換状態の約半分になる。
【００２２】
次に、かかる構成の作動を説明する。
図１における弁体２の上半分は、弁体２が一方の切換位置に切換った切換状態を保持する保持状態を示し、電磁石５Ｂは第１電磁石部６Ｂを通電し、第２電磁石部７Ｂを非通電にし、電磁石５Ａは第１電磁石部６Ａ、第２電磁石部７Ａをともに非通電にし、弁体２は供給流路Ｐを負荷流路Ａに切換連通すると共に負荷流路Ｂを排出流路Ｒ２に切換連通している。
【００２３】
この保持状態で、電磁石５Ｂの第１電磁石部６Ｂを非通電にすると、弁体２はばね４Ａのばね力で図１の右方向に付勢されて中立位置となり、供給流路Ｐを遮断すると共に負荷流路Ａを排出流路Ｒ１に負荷流路Ｂを排出流路Ｒ２にそれぞれ連通する。
【００２４】
この中立位置の状態で、電磁石５Ａの第１電磁石部６Ａ、第２電磁石部７Ａをともに通電すると、弁体２は両電磁石部６Ａ、７Ａの両可動鉄心９Ａ、２０Ａが両固定鉄心８Ａ、１９Ａに吸引される吸引力で、弁体２に作用する流体力およびばね４Ｂのばね力に抗して図１の右方向に押圧され、図１の下半分に示す他方の切換位置に切換って切換状態となり、供給流路Ｐを負荷流路Ｂに切換連通すると共に負荷流路Ａを排出流路Ｒ１に切換連通する。
【００２５】
この切換状態で、電磁石５Ａの第２電磁石部７Ａを非通電にして第１電磁石部６Ａの通電を維持すると、弁体２は第１可動鉄心９Ａが第１固定鉄心８Ａに吸引される吸引力で、ばね４Ｂのばね力に抗して切換状態を保持する保持状態となり、図１の下半分に示す他方の切換位置を保持する。
【００２６】
この保持状態で、電磁石５Ａの第１電磁石６Ａを非通電にすると、弁体２はばね４Ｂのばね力で図１の左方向に付勢されて中立位置になる。
【００２７】
かかる作動で、電磁石５Ａ、５Ｂは弁本体１に隣接する第１電磁石部６Ａ、６Ｂの軸方向外方へ第２電磁石部７Ａ、７Ｂを連設して構成し、第１電磁石部６Ａ、６Ｂは通電により発生する吸引力で第１可動鉄心９Ａ、９Ｂを吸引する第１固定鉄心８Ａ、８Ｂを弁本体１の側面に固定し、第１可動鉄心９Ａ、９Ｂを第１固定鉄心８Ａ、８Ｂと対向して軸方向へ摺動自在に筒状部材１０Ａ、１０Ｂへ嵌装し、第１可動鉄心９Ａ、９Ｂと弁体２との間を第１固定鉄心８Ａ、８Ｂを貫通する第１ピン部材１１Ａ、１１Ｂを介して係合し、第２電磁石部７Ａ、７Ｂは通電により発生する吸引力で第２可動鉄心２０Ａ、２０Ｂを吸引する第２固定鉄心１９、１９Ｂを第１可動鉄心９Ａ、９Ｂの軸方向外方で筒状部材１０Ａ、１０Ｂに固定し、第２可動鉄心２０Ａ、２０Ｂを第２固定鉄心１９Ａ、１９Ｂと対向して軸方向へ摺動自在に筒状部材１０Ａ、１０Ｂへ嵌装し、第２可動鉄心２０Ａ、２０Ｂと第１可動鉄心９Ａ、９Ｂとの間を第２固定鉄心１９Ａ、１９Ｂを貫通する第２ピン部材２１Ａ、２１Ｂを介して係合し、第１電磁石部６Ａ、６Ｂと第２電磁石部７Ａ、７Ｂとは大きな吸引力Ｋで弁体２により複数の流路Ｐ、Ａ、Ｂ、Ｒ１、Ｒ２間を切換連通する切換状態と、切換状態より小さな吸引力Ｋ１で切換状態を保持する保持状態とを有した。このため、保持状態では、切換状態より小さな吸引力Ｋ１で通電しているから、消費電力Ｗ１の増加を抑制することができる。そして、切換状態では、大きな吸引力Ｋで通電しているから、大きな流体力Ｆに打勝って弁体２と流路Ｐ、Ａ、Ｂ、Ｒ１、Ｒ２との間の開口量を大きくでき、流量を増大することができる。
【００２８】
また、第１電磁石部６Ａ、６Ｂと第２電磁石部７Ａ、７Ｂとは、切換状態では両方の電磁石部６Ａ、６Ｂおよび７Ａ、７Ｂを通電すると共に、保持状態では第１電磁石部６Ａ、６Ｂを通電した。このため、保持状態では、いずれか一つの電磁石部として第１電磁石部６Ａ、６Ｂを通電しているから、消費電力Ｗ１の増加を抑制することができる。そして、切換状態では、両方の電磁石部６Ａ、６Ｂおよび７Ａ、７Ｂを通電しているから、大きな吸引力Ｋを得ることができ、大きな流体力Ｆに打勝って弁体２と流路Ｐ、Ａ、Ｂ、Ｒ１、Ｒ２との間の開口量を大きくでき、流量を増大することができる。
【００２９】
また、第１電磁石部６Ａ、６Ｂと第２電磁石部７Ａ、７Ｂとは、第１可動鉄心９Ａ、９Ｂを第１固定鉄心８Ａ、８Ｂに吸引するストローク量と、第２可動鉄心２０Ａ、２０Ｂを第２固定鉄心１９Ａ、１９Ｂに吸引するストローク量とを略同一にした。このため、ストロークの全域にわたり大きな吸引力を得ることができる。
【００３０】
また、保持状態で第１電磁石部６Ａ、６Ｂを通電した。このため、第２電磁石部７Ａ、７Ｂは保持状態で非通電となるから、第２可動鉄心２０Ａ、２０Ｂが第２ピン部材２１Ａ、２１Ｂを介する第１可動鉄心９Ａ、９Ｂとの係合を解除しても問題がなく、用途に応じて適宜ストローク量を短くすることができる。
【００３１】
また、第１電磁石部６Ａ、６Ｂと第２電磁石部７Ａ、７Ｂとは、略同一構成とした。このため、略同一構成の電磁石部を２個用意すればよく、異なる構成の電磁石部を格別に用意するものに比し、管理が煩雑になることを軽減できる。
【００３２】
図４は本発明の他実施形態を示す。
第１電磁石部６Ａ、６Ｂと第２電磁石部７Ａ、７Ｂとは異なる構成とし、第１電磁石部の吸引力Ｋ１は第２電磁石部７Ａ、７Ｂの吸引力Ｋの約半分を得る仕様にし、これに伴い第１電磁石部６Ａ、６Ｂの消費電力Ｗ１は第２電磁石部７Ａ、７Ｂの消費電力Ｗの約半分となる。ばね４Ｂは一実施形態と同様で、切換状態ではばね力Ｓとなり、保持状態でばね力Ｓ１となり最大値で略一定となる。
切換状態では、第２電磁石部７Ａ、７Ｂを通電して第１電磁石部６Ａ、６Ｂを非通電にする。第２電磁石部７Ａ、７Ｂの大きな吸引力Ｋは流体力Ｆとばね４Ｂのばね力Ｓとを加算した力より大きく、複数の流路Ｐ、Ａ、Ｂ、Ｒ１、Ｒ２間を切換連通する。
保持状態では、第２電磁石部７Ａ、７Ｂを非通電にして第１電磁石部６Ａ、６Ｂを通電する。第１電磁石部６Ａ、６Ｂの吸引力Ｋ１は切換状態の約半分で、この小さな吸引力Ｋ１で保持状態を継続する。
【００３３】
作動は、切換状態では、第２電磁石部７Ａ、７Ｂを通電して複数の流路Ｐ、Ａ、Ｂ、Ｒ１、Ｒ２間を切換連通し、保持状態では第１電磁石部６Ａ、６Ｂを通電して切換状態を保持する。
かかる作動で、一実施形態と略同様に、保持状態では、切換状態より小さな吸引力Ｋ１で通電しているから、消費電力Ｗ１の増加を抑制することができる。そして、切換状態では、大きな吸引力Ｋで通電しているから、大きな流体力Ｆに打勝って弁体２と流路Ｐ、Ａ、Ｂ、Ｒ１、Ｒ２との間の開口量を大きくでき、流量を増大することができる。
【００３４】
また、第１電磁石部６Ａ、６Ｂと第２電磁石部７Ａ、７Ｂとは、切換状態では大きな吸引力Ｋの第２電磁石部７Ａ、７Ｂを通電すると共に、保持状態では切換状態より小さな吸引力Ｋ１の第１電磁石部６Ａ、６Ｂを通電した。このため、保持状態では、切換状態より小さな吸引力Ｋ１の第１電磁石部６Ａ、６Ｂを通電しているから、消費電力Ｗ１の増加を抑制することができる。そして、切換状態では、大きな吸引力Ｋの第２電磁石部７Ａ、７Ｂを通電しているから、大きな流体力Ｆに打勝って弁体２と流路Ｐ、Ａ、Ｂ、Ｒ１、Ｒ２との間の開口量を大きくでき、流量を増大することができる。
【００３５】
また、一実施形態と略同様に、保持状態で第１電磁石部６Ａ、６Ｂを通電したため、第２電磁石部７Ａ、７Ｂは非通電となり、第２可動鉄心２０Ａ、２０Ｂが第２ピン部材２１Ａ、２１Ｂを介する第１可動鉄心９Ａ、９Ｂとの係合を解除しても問題がなく、用途に応じて適宜ストローク量を短くすることができる。
【００３６】
なお、前述の各実施形態では、弁本体１の両側部に電磁石５Ａ、５Ｂを備えた３位置の電磁切換弁としたが、いずれか一側部に電磁石５Ａもしくは５Ｂを備えた２位置の電磁切換弁としてもよい。また、第１電磁石部６Ａ、６Ｂと第２電磁石部７Ａ、７Ｂは接続ピン１７Ａ、１７Ｂを共通のマイナスコモンとしたが、共通のプラスコモンとしてもよい。また、電磁石５Ａのマイナスコモンと電磁石５Ｂのマイナスコモンとを共通にして一つのマイナスコモンとしてもよい。また、電磁石５Ａ、５Ｂを図示しない外部電源に電気接続する端子箱３４を弁本体１上に載置固定したが、各電磁石５Ａ、５Ｂ上にそれぞれＤＩＮ端子箱を備えたり、各電磁石５Ａ、５Ｂからリード線で外部電源に電気接続してもよいことは勿論である。
【符号の説明】
【００３７】
１：弁本体
２：弁体
５Ａ、５Ｂ：電磁石
６Ａ、６Ｂ：第１電磁石部
７Ａ、７Ｂ：第２電磁石部
８Ａ、８Ｂ：第１固定鉄心
９Ａ、９Ｂ：第１可動鉄心
１０Ａ、１０Ｂ：筒状部材
１１Ａ、１１Ｂ：第１ピン部材
１９Ａ、１９Ｂ：第２固定鉄心
２０Ａ、２０Ｂ：第２可動鉄心
２１Ａ、２１Ｂ：第２ピン部材
【図１】
2018066418.tif 000003
【図２】
2018066418.tif 000004
【図３】
2018066418.tif 000005
【図４】
2018066418.tif 000006